(57)【要約】  排水のサイフォン防止装置およびこの装置を取り付けた洗濯機である。排水のサイフォン防止装置（８）は出水管および空気管（１７）を含み、出水管は相互に接続する第１水道管（１６）および第２水道管（１５）を含み、第２水道管（１５）の少なくとも一部の管径は第１水道管（１６）の管径より大きい。空気管（１７）の一端は第２水道管（１５）と通じ、空気管（１７）が第２水道管（１５）と通じる部分は、第２水道管（１５）の径方向面に位置し、空気管（１７）および出水管の異径構造を利用して、サイフォンによる逆流を防止する。該構造により、空気管（１７）部分の水圧は低く、排水時、水圧により汚れた水が空気管（１７）を通って洗濯外ドラム（２）内に逆流するのを効果的に防止する。排水のサイフォン防止装置（８）を取り付けた洗濯機は、排水ホース（５）に排水のサイフォン防止装置（８）を取り付けることにより、その空気管（１７）が洗濯機の外ドラム（２）と通じる。洗濯機の排水が完了すると、たとえ洗濯機外の排水ホース（５）の末端が水に浸かっていても、排水ポンプ（４）は動作を停止する。サイフォンにより逆流すると、外ドラム（２）の空気が排水のサイフォン防止装置（８）に進入し、これによりサイフォンが停止し、水が逆流して外ドラム（２）に進入することはない。【選択図】図４
2018514308.tif 000002
【特許請求の範囲】
【請求項１】
出水管および空気管を含み、
出水管は相互に接続する第１水道管および第２水道管を含み、第２水道管の少なくとも一部の管径は第１水道管の管径より大きく、
空気管の一端は第２水道管と通じ、空気管が第２水道管と通じる部分は、第２水道管の径方向面に位置することを特徴とする排水のサイフォン防止装置。
【請求項２】
第１水道管および第２水道管の接続部分が屈曲部を形成し、第１水道管および第２水道管の間は一定角度の夾角を呈する
ことを特徴とする、請求項１に記載の排水のサイフォン防止装置。
【請求項３】
第２水道管は段付管であり、第１水道管および第２水道管の接続部分から第２水道管の開口に向かって、管径が段階的に大きくなり、空気管の第１開口は第２水道管の段付面上に位置して、空気管は第２水道管と通じ、空気管の第２開口は出水管外に位置する
ことを特徴とする、請求項１または２に記載の排水のサイフォン防止装置。
【請求項４】
空気管の第１開口は、第２水道管の段付面上で、屈曲部の外側に近い位置に位置することを特徴とする、請求項３に記載の排水のサイフォン防止装置。
【請求項５】
空気管の内径は段付孔の異径構造であり、第２水道管の開口部分に近い空気管の内径が最も小さいことを特徴とする、請求項１または２に記載の排水のサイフォン防止装置。
【請求項６】
空気管および第２水道管は平行に設置され、第２水道管は比較的厚い壁を有し、第２水道管の壁中に軸方向の貫通孔が空気管として設けられることを特徴とする、請求項５に記載の排水のサイフォン防止装置。
【請求項７】
第１水道管の取水口部分に外径面取り部が設けられ、第１水道管の外壁に突起が設けられ、第２水道管に、第２水道管の中心軸に垂直であるリムが設けられ、リムに固定孔とする貫通孔が設けられることを特徴とする、請求項１または２に記載の排水のサイフォン防止装置。
【請求項８】
第１水道管および第２水道管の間の夾角が９０±５°であることを特徴とする、請求項２または６に記載の排水のサイフォン防止装置。
【請求項９】
請求項１〜８のいずれか１項に記載の排水のサイフォン防止装置を取り付けた洗濯機であって、内ドラム、外ドラム、筐体、排水ポンプ、排水のサイフォン防止装置を含み、
内ドラムは外ドラム中に取り付けられ、内ドラム、外ドラムは筐体中に取り付けられ、外ドラムはサスペンションスプリングにより筐体内部に吊るされ、排水のサイフォン防止装置は筐体に固定され、
排水のサイフォン防止装置における空気管の１つの開口は、排水のサイフォン防止装置の第２水道管と通じ、もう１つの開口は接続管を介して外ドラムと通じ、通じる位置は外ドラムの中心の上に位置し、
排水のサイフォン防止装置における第１水道管の開口は、排水ホースを介して排水ポンプと接続され、排水ポンプは排水管を介して外ドラムと接続され、
排水のサイフォン防止装置における第２水道管の開口は、洗濯機筐体の外部に設置される排水ホースと接続され；
排水のサイフォン防止装置の空気管は、排水のサイフォン防止装置における第２水道管の中心軸の上方に位置することを特徴とする洗濯機。
【請求項１０】
排水のサイフォン防止装置の出水管における第２水道管の外周面に、第２水道管の中心軸に垂直であるリムが設けられ、リムに固定孔とする貫通孔が設けられ、ネジを貫通孔に通すことにより、排水のサイフォン防止装置を洗濯機の筐体に固定し、第１水道管および第２水道管の間の夾角は９０±５°であり、第２水道管は第１水道管の上方に位置し、排水のサイフォン防止装置の高さは外ドラムの中心より高いことを特徴とする、請求項９に記載の排水のサイフォン防止装置を取り付けた洗濯機。
【発明の詳細な説明】
【技術分野】
【０００１】
本発明はサイフォン防止装置および洗濯機に関し、特に排水のサイフォン防止装置およびこの装置を取り付けた洗濯機であり、洗濯機装置の分野に属する。
【背景技術】
【０００２】
既存のドラム式洗濯機は排水時に排水ポンプが稼働し、排水完了後、排水ポンプは停止する。排水管中に水が存在するため、排水ポンプが突然停止すると、排水ポンプの空洞内に負圧が形成され、排水管中の水が排水ポンプの空洞に容易に逆流する。消費者が排水管の末端を水中に浸けていると、容易にサイフォンが発生する。排水管のサイフォンにより、汚れた水が排水ポンプに進入し、洗濯機の洗濯外ドラム中に進入する。洗濯が完了した衣類が汚染され、これによりユーザの使用感が極めて悪くなる。
【０００３】
このことを考慮して、特に本発明を示す。
【発明の概要】
【発明が解決しようとする課題】
【０００４】
本発明が解決しようとする技術的問題は、既存技術の不足を克服することであり、排水のサイフォン防止装置およびこの装置を取り付けた洗濯機を提供する。サイフォンにより汚れた水が排水ポンプに進入し、さらには洗濯機の外ドラムに進入するのを防止することができる。
【課題を解決するための手段】
【０００５】
上記技術的問題を解決するため、本発明が採用する技術案の基本的構想は以下の通りである。
排水のサイフォン防止装置は出水管および空気管を含み、出水管は相互に接続する第１水道管および第２水道管を含み、第２水道管の少なくとも一部の管径は第１水道管の管径より大きい。空気管の一端は第２水道管と通じ、空気管が第２水道管と通じる部分は、第２水道管の径方向面に位置する。
【０００６】
さらに、第１水道管および第２水道管の接続部分は屈曲部を形成し、第１水道管および第２水道管の間は、一定角度の夾角を呈する。
【０００７】
さらに、第２水道管は段付管であり、第１水道管および第２水道管の接続部分から第２水道管の開口に向かって、管径が段階的に大きくなる。空気管の第１開口は第２水道管の段付面上に位置して、空気管は第２水道管と通じ、空気管の第２開口は出水管外に位置する。
【０００８】
さらに、空気管の第１開口は、第２水道管の段付面上で、屈曲部の外側に近い位置に位置する。
【０００９】
さらに、空気管の内径は段付孔の異径構造であり、第２水道管の開口部分に近い空気管の内径が最も小さい。
【００１０】
さらに、空気管および第２水道管は平行に設置される。第２水道管は比較的厚い壁を有し、第２水道管の壁中に軸方向の貫通孔が空気管として設けられる。
【００１１】
さらに、第１水道管の取水口部分に外径面取り部が設けられ、第１水道管の外壁に突起が設けられる。第２水道管に、第２水道管の中心軸に垂直であるリムが設けられ、リムに固定孔とする貫通孔が設けられる。
【００１２】
さらに、第１水道管および第２水道管の間の夾角は、９０±５°である。
【００１３】
上記いずれか１項に記載の排水のサイフォン防止装置を取り付けた洗濯機は、内ドラム、外ドラム、筐体、排水のサイフォン防止装置を含む。内ドラムは外ドラム中に取り付けられ、内ドラム、外ドラムは筐体中に取り付けられる。外ドラムはサスペンションスプリングにより筐体内部に吊るされ、排水のサイフォン防止装置は筐体に固定される。排水のサイフォン防止装置における空気管の１つの開口は、排水のサイフォン防止装置の第２水道管と通じ、もう一つの開口は接続管を介して外ドラムと通じ、通じる位置は外ドラムの中心の上に位置する。排水のサイフォン防止装置における第１水道管の開口は、排水ホースを介して排水ポンプと接続され、排水ポンプは排水管を介して外ドラムと接続される。排水のサイフォン防止装置における第２水道管の開口は、洗濯機の筐体外部に設置される排水ホースと接続される。排水のサイフォン防止装置の空気管は、排水のサイフォン防止装置における第２水道管の中心軸の上方に位置する。
【００１４】
さらに、排水のサイフォン防止装置の出水管における第２水道管の外周面に、第２水道管の中心軸に垂直であるリムが設けられる。リムに固定孔とする貫通孔が設けられ、ネジを貫通孔に通すことにより、排水のサイフォン防止装置を洗濯機の筐体に固定する。第１水道管および第２水道管の間の夾角は９０±５°である。第２水道管は第１水道管の上方に位置し、排水のサイフォン防止装置の高さは外ドラムの中心より高い。
【発明の効果】
【００１５】
上記技術案を採用すると、本発明は既存技術と比較して、以下の有益な効果を有する。
【００１６】
本発明の排水のサイフォン防止装置は出水管および空気管を含み、出水管は相互に接続する第１水道管および第２水道管を含み、第２水道管の少なくとも一部の管径は第１水道管の管径より大きい。空気管の一端は第２水道管と通じ、空気管が第２水道管と通じる部分は第２水道管の径方向面に位置し、空気管および出水管の異径構造を利用してサイフォンによる逆流を防止する。該構造により、空気管部分の水圧は小さく、排水時、水圧により汚れた水が空気管を通って洗濯外ドラム内に逆流するのを効果的に防止する。本発明の排水のサイフォン防止装置を取り付けた洗濯機は、洗濯機筐体の屈曲部分の空間を効果的に利用して、排水ホースを配置する。排水のサイフォン防止装置を洗濯機筐体の背面板に固定する高さについて、この高さは外ドラムの中心位置の高さより高く、洗濯機筐体の最高高度より低い。洗濯機の排水が完了すると、たとえ排水のサイフォン防止装置の第２水道管に接続される排水ホース、すなわち洗濯機外の排水ホースの末端が水に浸かっていても、排水ポンプは動作を停止する。サイフォンにより逆流すると、サイフォン防止ホースは排水のサイフォン防止装置および外ドラムと通じており、外ドラムの空気が排水のサイフォン防止装置に進入する。これによりサイフォンは停止し、水が逆流して外ドラムに進入することはない。
【００１７】
以下、図を組み合わせて、本発明の発明を実施するための形態について、さらに詳細に記載する。
【図面の簡単な説明】
【００１８】
【図１】図１は、本発明の実施例における排水のサイフォン防止装置を取り付けた洗濯機の構造概要図である。
【図２】図２は、本発明の実施例１における排水のサイフォン防止装置の構造概要図である。
【図３】図３は、本発明の実施例１における排水のサイフォン防止装置の構造概要図である。
【図４】図４は、本発明の実施例１における排水のサイフォン防止装置の断面概要図である。
【図５】図５は、本発明の実施例２における排水のサイフォン防止装置の構造概要図である。
【図６】図６は、本発明の実施例２における排水のサイフォン防止装置の構造概要図である。
【図７】図７は、本発明の実施例２における排水のサイフォン防止装置の断面概要図である。
【発明を実施するための形態】
【００１９】
実施例１
図２、３、４に示すように、本発明の実施例における排水のサイフォン防止装置は出水管および空気管を含み、出水管は相互に接続する第１水道管１６および第２水道管１５を含み、第２水道管の少なくとも一部の管径は第１水道管の管径より大きい。空気管の一端は第２水道管と通じ、空気管が第２水道管と通じる部分は、第２水道管の径方向面に位置する。
【００２０】
第１水道管１６および第２水道管１５の接続部分は屈曲部を形成し、第１水道管１６および第２水道管１５の間は、一定角度の夾角αを呈する。この夾角αの範囲は、９０±５°である。本実施例において、αは９０°である。
【００２１】
第２水道管１５は段付管であり、第１水道管１６および第２水道管１５の接続部分から第２水道管の開口に向かって、管径は段階的に大きくなる。空気管１７の第１開口は第２水道管１５の段付面上に位置して、空気管は第２水道管と通じ、空気管の第２開口は出水管外に位置する。
【００２２】
空気管の第１開口は、第２水道管の段付面上における、第１水道管および第２水道管内の夾角から最も離れた位置に位置し、つまり空気管の第１開口は第２水道管の段付面上で、屈曲部の外側に近い位置に位置する。図４に示すように、排水のサイフォン防止装置を直立して据え、第２水道管１５が第１水道管１６の上方に位置するとき、空気管は第２水道管の最上部に位置する。
【００２３】
第１水道管および第２水道管の屈曲構造は、流体分析により、水流の圧力が比較的均等に分布する状態から、空気管の一側に近づくと圧力が小さくなるように変化することがわかる。水圧が大きいため、水流が空気管を通って逆流するのを効果的に防止する。
【００２４】
本実施例において、図２、３、４に示すように、空気管および第２水道管は平行に設置される。第２水道管の最上部に比較的厚い壁を有し、第２水道管の壁中に軸方向の貫通孔が空気管として設けられ、空気管の一部分は第２水道管中に包まれる。空気管の１つの開口は第２水道管と通じ、この開口に近い部分は第２水道管の内部に位置し、空気管のこの開口から離れた部分は出水管外に伸びる。その他の実施例において、空気管は第２水道管外に位置することもできるが、接続部分を介し、第２水道管と接続されて通じる。
【００２５】
図４に示すように、空気管１７の内径は段付孔の異径構造であり、大径部分２０および小径部分２１の２つの部分からなる。第２水道管の開口部分に近い空気管の内径が最も小さく、第２水道管の開口部分から離れた空気管の内径は大きく、空気管の大径部分の長さは小径部分の長さより長い。このような構造は生産が容易である。該構造は、気体が空気管から第２水道管に容易に進入するが、第２水道管内の水が空気管に進入するのは容易ではない。
【００２６】
第１水道管１６の取水口部分に外径面取り部１９が設けられ、第１水道管の外壁に突起１８が設けられる。第２水道管に、第２水道管の中心軸に垂直であるリム１３が設けられ、リムに固定孔１４とする貫通孔が設けられる。本装置をその他の設備と固定するのに便利である。
【００２７】
実施例２
本実施例および実施例１の違いは次の通りである。図５、６、７に示すように、空気管の大径部分はより長く、小径部分はより短い。空気管は第２水道管の中心軸からより離れて、より外側に寄り、第２水道管の流路に割り込まない。
【００２８】
実施例３
本実施例の前記洗濯機は、実施例１または２に記載の排水のサイフォン防止装置が取り付けられる。
【００２９】
排水のサイフォン防止装置を取り付けた洗濯機は、図１に示すように、内ドラム、外ドラム２、筐体１、排水のサイフォン防止装置８を含み、内ドラムは外ドラム中に取り付けられる。外ドラムはサスペンションスプリングにより筐体内部に吊るされ、サスペンションスプリング１０の上端は洗濯機筐体の２つの側面板上部に吊るされ、外ドラムの下部は減衰ダンパ１２により支持される。外ドラム開口はラバークッション１１と接続され、ラバークッション１１は筐体の前面板に接続される。図は、本発明の排水のサイフォン防止装置を取り付けた洗濯機の内部構造をより明確に示すため、前面板を示していない。
【００３０】
排水のサイフォン防止装置８は、筐体１に固定される。図２、３、４に示すように、排水のサイフォン防止装置は出水管および空気管１７を含み、出水管は相互に接続する第１水道管１６および第２水道管１５を含む。第１水道管１６および第２水道管１５の接続部分は屈曲部を形成し、第１水道管１６および第２水道管１５の間は夾角αを有する。この夾角αの範囲は９０±５°である。本実施例において、この角度は９０°である。第２水道管１５は段付管であり、第１水道管１６および第２水道管１５の接続部分から第２水道管の開口に向かって、管径は段階的に大きくなる。空気管１７の第１開口は第２水道管１５の段付面上に位置して、空気管は第２水道管と通じる。空気管の第２開口は接続管を介して外ドラムと通じ、通じる位置は外ドラムの中心の上に位置する。本実施例において、外ドラムの最上部に外ドラムの空気口７が設置される。接続管はサイフォン防止ホース９であり、サイフォン防止ホース９は外ドラムの空気口７と接続される。
【００３１】
空気管の第１開口は、第２水道管の段付面上における、第１水道管および第２水道管内の夾角から最も離れた位置に位置し、つまり空気管の第１開口は第２水道管の段付面上で、屈曲部の外側に近い位置に位置する。排水のサイフォン防止装置８を取り付けるとき、排水のサイフォン防止装置は直立して据えるか、または斜めに据える。第２水道管１５は第１水道管１６の上方に位置し、空気管は第２水道管の最上部に位置するか、または空気管は第２水道管の中心以上に位置する。
【００３２】
第２水道管は異径構造であり、第１水道管の内径は第２水道管の最大内径より小さい。第２水道管の内径は、第２水道管および第１水道管の接続部分から第２水道管の開口部分に向かって、段階的に小径から大径に変化し、ベンチュリ効果が容易に生じる。空気管の第１開口は第２水道管１５の段付面上に位置して、空気管は第２水道管と通じる。これにより気体が進入し、水が空気管を通って外ドラムに逆流することはない。
【００３３】
第１水道管および第２水道管の屈曲構造は、流体分析により、水流の圧力が比較的均等に分布する状態から、空気管の一側に近づくと圧力が小さくなるように変化することがわかる。水圧が大きいため、水流が空気管を通って逆流するのを効果的に防止する。
【００３４】
本実施例において、図２、３、４に示すように、空気管および第２水道管は平行に設置される。第２水道管の最上部に比較的厚い壁を有し、第２水道管の壁中に軸方向の貫通孔が空気管として設けられ、空気管の一部分は第２水道管中に包まれる。空気管の１つの開口は第２水道管と通じ、この開口に近い部分は第２水道管の内部に位置し、空気管のこの開口から離れた部分は出水管外に伸びる。その他の実施例において、空気管は第２水道管外に位置することもできるが、接続部分を介し、第２水道管と接続されて通じる。
【００３５】
図４に示すように、空気管１７の内径は段付孔の異径構造であり、大径部分２０および小径部分２１の２つの部分からなる。第２水道管の開口部分に近い空気管の内径が最も小さく、第２水道管の開口部分から離れた空気管の内径は大きく、空気管の大径部分の長さは小径部分の長さより長い。このような構造は生産が容易である。該構造は、気体が空気管から第２水道管に容易に進入するが、第２水道管内の水が空気管に進入するのは容易ではない。
【００３６】
出水管の屈曲構造、第２水道管の異径構造、空気管の異径構造、さらに空気管の第１開口が第２水道管の段付面上で、屈曲部の外側に近い位置に位置する構造により、空気管部分の水圧は低く、排水時、水圧により汚れた水が空気管を通って洗濯外ドラム内に逆流するのを効果的に防止する。
【００３７】
排水のサイフォン防止装置における第１水道管１６の開口、すなわち取水口部分に外径面取り部１９が設けられ、第１水道管の外壁に突起１８が設けられる。第１水道管の取水口は排水ホース５と接続されるが、面取りにより排水ホースの挿入は容易であり、突起構造は挿入する深さの定位に役立つ。排水ホース５のもう一端は排水ポンプ４と接続され、排水ポンプ４は排水管３を介して外ドラム２と接続される。排水のサイフォン防止装置における第２水道管の開口は、洗濯機筐体の外部に設置される排水ホースと接続される。
【００３８】
第２水道管に、第２水道管の中心軸に垂直であるリム１３が設けられる。リムは洗濯機筐体の背面板と接続され、両者の接触面積が増大する。リムに固定孔１４とする貫通孔が設けられ、ネジを貫通孔に通すことにより、排水のサイフォン防止装置を洗濯機の筐体に固定する。
【００３９】
外ドラム上部に取水管６が設置され、該取水管６は洗剤ケースと接続される。取水バルブから洗剤ケースに取水され、洗剤は該取水管６を介して外ドラムに投入される。
【００４０】
外ドラムの最底部に排水管３が設置され、排水管３は排水ポンプ４と接続される。排水ポンプは排水ホース５と接続され、排水のサイフォン防止装置を介して、水を洗濯機外部に排出する。
【００４１】
本発明の実施例における排水のサイフォン防止装置を取り付けた洗濯機は、洗濯機筐体の屈折部分の空間を効果的に利用して、排水ホース５を配置する。排水のサイフォン防止装置を洗濯機筐体の背面板に固定する高さについて、この高さは外ドラムの中心位置の高さより高く、洗濯機筐体の最高高度より低い。設計上、洗濯機における排水管の最高高度の適合性を確実に保証した。洗濯機の排水が完了すると、たとえ排水のサイフォン防止装置の第２水道管に接続される排水ホース、すなわち洗濯機外の排水ホースの末端が水に浸かっていても、排水ポンプは動作を停止する。サイフォンにより逆流すると、サイフォン防止ホースは排水のサイフォン防止装置および外ドラムと通じており、外ドラムの空気が排水のサイフォン防止装置に進入する。これによりサイフォンが停止し、水が逆流して外ドラムに進入することはない。
【００４２】
上記実施例における実施案はさらに組み合わせるか、または置換することができ、さらに実施例は本発明の好ましい実施例を記載したに過ぎず、本発明の構想および範囲を限定しない。本発明の設計の発想を逸脱しない前提で、当業者が本発明の技術案に対して行う各種の変更および改良は、いずれも本発明の保護範囲に属する。
【符号の説明】
【００４３】
１  筐体
２  外ドラム
３  排水管
４  排水ポンプ
５  排水ホース
６  取水管
７  外ドラムの空気口
８  排水のサイフォン防止装置
９  サイフォン防止ホース
１０  サスペンションスプリング
１１  ラバークッション
１２  減衰ダンパ
１３  リム
１４  固定孔
１５  第２水道管
１６  第１水道管
１７  空気管
１８  突起
１９  面取り部
２０  大径部分
２１  小径部分
【図１】
2018514308.tif 000003
【図２】
2018514308.tif 000004
【図３】
2018514308.tif 000005
【図４】
2018514308.tif 000006
【図５】
2018514308.tif 000007
【図６】
2018514308.tif 000008
【図７】
2018514308.tif 000009
【国際調査報告】
2018514308.tif 000010
2018514308.tif 000011
2018514308.tif 000012
2018514308.tif 000013